(57)【特許請求の範囲】
【請求項１】
ホース本体と該ホース本体の両端部に設けられた取付フランジとから構成されて水中構造物に固定或いは浮遊させた多数のマリンホースを連結して構成したホースラインに用いて船舶等から流体を移送する多数のマリンホースを管理するマリンホース管理システムであって、
マリンホースを識別するための個々のマリンホースに固有の識別情報或いはトランスポンダを識別するための個々のトランスポンダに固有の識別情報のうちの少なくとも何れか一方を含む所定情報を記憶する情報記憶手段と、該情報記憶手段に記憶された情報を読み出す情報読み出し手段と、該情報読み出し手段によって読み出された情報を所定周波数の電磁波でアンテナから送信する送信手段とを有するトランスポンダを前記取付フランジの円筒部の外面に備えた複数のマリンホースと、
前記トランスポンダと通信可能であり前記トランスポンダが前記電磁波で発信する情報を受信して管理装置に転送する端末装置と、
該端末装置から転送された情報に基づいて前記マリンホースを管理する前記管理装置とからなる
ことを特徴とするマリンホース管理システム。
【請求項２】
前記端末装置は、前記トランスポンダにアクセスして情報を読み出す情報読み出し手段と、前記トランスポンダに情報を入力する情報入力手段と、前記管理装置に情報を送信する送信手段とを備え、
前記管理装置は、前記端末装置が発信する情報を受信する受信手段と、該受信した情報を記憶する記憶手段と、該記憶手段が記憶している情報を新たに受信した情報に基づいて更新する情報更新手段と、前記記憶手段が記憶する情報を表示する情報表示手段とを備えている
ことを特徴とする請求項１に記載のマリンホース管理システム。
【請求項３】
前記管理装置の記憶手段が記憶する情報は、マリンホースを識別する識別情報、個々のマリンホースの製造情報、及びマリンホースの履歴情報を含んでいる
ことを特徴とする請求項１又は請求項２に記載のマリンホース管理システム。
【請求項４】
前記トランスポンダは、電磁波を受信する受信手段と、
該受信した電磁波のエネルギーを電気エネルギーに変換するエネルギー変換手段と、
前記情報読み出し手段が前記情報記憶手段から読み出した情報を電磁波によって送信する送信手段とを有すると共に、
前記トランスポンダは前記エネルギー変換手段によって得られた電気エネルギーによって動作する
ことを特徴とする請求項１に記載のマリンホース管理システム。
【請求項５】
前記端末装置は、前記マリンホースのトランスポンダをアクセスして識別情報を読み出す識別情報読み出し手段と、
該識別情報を有するマリンホースの少なくとも現時点における架設場所及び架設期間を表す履歴情報を入力するための履歴情報入力手段と、
個々のマリンホース毎に前記識別情報と履歴情報とを含む個別更新情報を作成し、該個別更新情報を前記通信網を介して送信する送信手段とを備え、
前記管理装置は、管理対象となる全てのマリンホースの製造情報を前記識別情報に対応付けて記憶する製造情報記憶手段と、
管理対象となる全てのマリンホースの履歴情報を前記識別情報に対応付けて記憶する履歴情報記憶手段と、
通信網を介して各端末装置から前記個別更新情報を受信する受信手段と、
該受信手段により受信した個別更新情報に基づいて、前記履歴情報記憶手段に記憶されている履歴情報を更新する履歴情報更新手段と、
操作員が指定した特定のマリンホースの製造情報及び履歴情報を表示する情報表示手段とを備えている
ことを特徴とする請求項１に記載のマリンホース管理システム。
【請求項６】
前記トランスポンダに代えて、トランスポンダに固有の識別情報を記憶した情報記憶手段と、該情報記憶手段に記憶されている情報を読み出す情報読み出し手段と、該情報読み出し手段によって読み出された情報を所定周波数の電磁波でアンテナから送信する送信手段とを有するトランスポンダを用い、
前記端末装置に、トランスポンダに固有の識別情報と該トランスポンダが装着されたマリンホースのセリアルナンバーとを対応付けた対応テーブルと、該対応テーブルに基づいて、前記トランスポンダから読み出した識別情報を前記セリアルナンバーに変換する変換手段とを備えると共に、
前記端末装置の送信手段は、個々のマリンホース毎にセリアルナンバーと履歴情報とを含む個別更新情報を作成し、該個別更新情報を前記通信網を介して送信し、
前記管理装置は、識別情報としてセリアルナンバーを用いる
ことを特徴とする請求項５に記載のマリンホース管理システム。
【請求項７】
前記トランスポンダに代えて、トランスポンダに固有の識別情報を記憶した情報記憶手段と、該情報記憶手段に記憶されている情報を読み出す情報読み出し手段と、該情報読み出し手段によって読み出された情報を所定周波数の電磁波でアンテナから送信する送信手段とを有するトランスポンダを用い、
前記管理装置に、トランスポンダに固有の識別情報と該トランスポンダが装着されたマリンホースのセリアルナンバーとを対応付けた対応テーブルと、該対応テーブルに基づいて、前記個別更新情報に含まれるトランスポンダに固有の識別情報を前記マリンホースのセリアルナンバーに変換する変換手段とを備えると共に、
前記管理装置は、識別情報としてマリンホースのセリアルナンバーを用いる
ことを特徴とする請求項５に記載のマリンホース管理システム。
【請求項８】
前記製造情報は製造図面を含むことを特徴とする請求項５乃至請求項７の何れかに記載のマリンホース管理システム。
【請求項９】
前記管理装置に、操作員が指定した特定のマリンホースの架設場所及びその近辺の地図或いは写真を表示する架設場所表示手段を設けた
ことを特徴とする請求項５乃至請求項７の何れかに記載のマリンホース管理システム。
【請求項１０】
前記管理装置に、操作員が指定した特定地域におけるマリンホースの架設状況を表示する架設状況表示手段を設けた
ことを特徴とする請求項５乃至請求項７の何れかに記載のマリンホース管理システム。
【発明の詳細な説明】
【０００１】
【発明の属する技術分野】
本発明は、主としてタンカー等の船舶から陸地に或いは陸地から船舶に向けて流体、特に油等を海中或いは水中等において移送するマリンホースの管理システムに関するものである。
【０００２】
【従来の技術】
従来、タンカーによって油等の流体を運搬する場合において、タンカーに流体を荷積みする作業及び荷下ろしする作業は、一般にタンカーが沖合に係船されている状態で行われる。このため、海上や海中に接地した多数のマリンホースを連結して構成したホースラインによって、油等の流体の荷積みや荷下ろしを行っている。
【０００３】
また、この様に海上や海中に接地したマリンホースが破損すると、油等が流出して周辺地域に大きな環境破壊を引き起こし、社会的な大問題となってしまう。このため、前述のようなホースラインに用いるマリンホースの点検及び管理は非常に重要であり、複数の管理作業員の手によって定期的に行われている。
【０００４】
また、このようなマリンホースは高価であるため、船舶輸送会社等の団体単位で購入されることが多く、港等の船舶の係留地に固定して架設されるなど必要に応じて使用されていた。
【０００５】
【発明が解決しようとする課題】
しかしながら、同一港湾内には多数の団体の輸送船舶（タンカー）が停泊しているためマリンホースが混在してしまうことが多々あり、また、異なる港湾に点在することもあるので、各団体は、自己の所有するマリンホースの架設場所の管理を的確に行えないことがあった。
【０００６】
さらに、マリンホースは、その単価が高価であるため、傷みを生じたときには修理して用いられるのが普通であり、各マリンホースにおける修理内容等の管理も行う必要があったが、この管理にも非常に多大な手間を要していた。
【０００７】
本発明の目的は上記の問題点に鑑み、点在して架設されるマリンホースの管理をリアルタイムに行うことができるマリンホース管理システムを提供することにある。
【００１３】
【課題を解決するための手段】
本発明は上記の目的を達成するために請求項１では、ホース本体と該ホース本体の両端部に設けられた取付フランジとから構成されて水中構造物に固定或いは浮遊させた多数のマリンホースを連結して構成したホースラインに用いて船舶等から流体を移送する多数のマリンホースを管理するマリンホース管理システムであって、マリンホースを識別するための個々のマリンホースに固有の識別情報或いはトランスポンダを識別するための個々のトランスポンダに固有の識別情報のうちの少なくとも何れか一方を含む所定情報を記憶する情報記憶手段と、該情報記憶手段に記憶された情報を読み出す情報読み出し手段と、該情報読み出し手段によって読み出された情報を所定周波数の電磁波でアンテナから送信する送信手段とを有するトランスポンダを前記取付フランジの円筒部の外面に備えた複数のマリンホースと、前記トランスポンダと通信可能であり前記トランスポンダが前記電磁波で発信する情報を受信して管理装置に転送する端末装置と、該端末装置から転送された情報に基づいて前記マリンホースを管理する前記管理装置とからなるマリンホース管理システムを提案する。
【００１４】
該マリンホース管理システムによれば、管理対象となるマリンホースの取付フランジ円筒部の外面には少なくとも１個のトランスポンダが装着され、該トランスポンダを端末装置によってワイヤレスでアクセスすることによりマリンホースを識別するための個々のマリンホースに固有の識別情報或いはトランスポンダを識別するための個々のトランスポンダに固有の識別情報のうちの少なくとも何れか一方を含む所定の情報を読み出すことができる。前記端末装置によってトランスポンダから読み出された情報は、端末装置から管理装置に転送され、該情報に基づいて管理装置によって個々のマリンホースが管理される。
【００１５】
また、請求項２では、請求項１に記載のマリンホース管理システムにおいて、前記端末装置は、前記トランスポンダにアクセスして情報を読み出す情報読み出し手段と、前記トランスポンダに情報を入力する情報入力手段と、前記管理装置に情報を送信する送信手段とを備え、前記管理装置は、前記端末装置が発信する情報を受信する受信手段と、該受信した情報を記憶する記憶手段と、該記憶手段が記憶している情報を新たに受信した情報に基づいて更新する情報更新手段と、前記記憶手段が記憶する情報を表示する情報表示手段とを備えているマリンホース管理システムを提案する。
【００１６】
該マリンホース管理システムによれば、管理対象となるマリンホースに装着されたトランスポンダを端末装置によってワイヤレスでアクセスすることにより、情報の読み出し及び入力を行うことができる。前記端末装置によってトランスポンダから読み出された情報は、端末装置の送信手段によって管理装置に送信され、該情報は管理装置の受信手段によって受信され、該受信情報は管理装置の記憶手段に記憶される。この情報に基づいて、該情報を情報表示手段によって表示するなどして、管理装置によって個々のマリンホースが管理される。さらに、個々のマリンホースの新たな情報が端末装置から管理装置に送信されると、管理装置では情報更新手段によって前記記憶手段に記憶されている情報が更新される。
【００１７】
また、請求項３では、請求項１又は請求項２に記載のマリンホース管理システムにおいて、前記管理装置の記憶手段が記憶する情報は、マリンホースを識別する識別情報、個々のマリンホースの製造情報、及びマリンホースの履歴情報を含んでいるマリンホース管理システムを提案する。
【００１８】
該マリンホース管理システムによれば、前記管理装置の記憶手段には、マリンホースを識別する識別情報、個々のマリンホースの製造情報、及びマリンホースの履歴情報を含む情報が記憶される。
【００１９】
また、請求項４では、請求項１に記載のマリンホース管理システムにおいて、前記トランスポンダは、電磁波を受信する受信手段と、該受信した電磁波のエネルギーを電気エネルギーに変換するエネルギー変換手段と、前記情報読み出し手段が前記情報記憶手段から読み出した情報を電磁波によって送信する送信手段とを有すると共に、前記トランスポンダは前記エネルギー変換手段によって得られた電気エネルギーによって動作するマリンホース管理システムを提案する。
【００２０】
該マリンホース管理システムによれば、マリンホースに装着されたトランスポンダに対して電磁波を輻射することにより、該電磁波がトランスポンダ内で電気エネルギーに変換されて、この電気エネルギーによりトランスポンダが動作するので、トランスポンダは半永久的に動作可能となる。
【００２１】
また、請求項５では、請求項１に記載のマリンホース管理システムにおいて、前記端末装置は、前記マリンホースのトランスポンダをアクセスして識別情報を読み出す識別情報読み出し手段と、該識別情報を有するマリンホースの少なくとも現時点における架設場所及び架設期間を表す履歴情報を入力するための履歴情報入力手段と、個々のマリンホース毎に前記識別情報と履歴情報とを含む個別更新情報を作成し、該個別更新情報を前記通信網を介して送信する送信手段とを備え、前記管理装置は、管理対象となる全てのマリンホースの製造情報を前記識別情報に対応付けて記憶する製造情報記憶手段と、管理対象となる全てのマリンホースの履歴情報を前記識別情報に対応付けて記憶する履歴情報記憶手段と、通信網を介して各端末装置から前記個別更新情報を受信する受信手段と、該受信手段により受信した個別更新情報に基づいて、前記履歴情報記憶手段に記憶されている履歴情報を更新する履歴情報更新手段と、操作員が指定した特定のマリンホースの製造情報及び履歴情報を表示する情報表示手段とを備えているマリンホース管理システムを提案する。
【００２２】
該マリンホース管理システムによれば、管理対象となるマリンホースには少なくとも１個のトランスポンダが装着され、該トランスポンダをアクセスすることにより該マリンホースに固有の識別情報を読み出すことができる。
【００２３】
一方、管理装置には、管理対象となる個々のマリンホースの製造情報、例えば定格寸法、製造日、納品先等の製造情報と、例えば初期架設年月日、架設期間、これに続く架設場所及び架設期間、点検、検査、修理の記録等の履歴情報が蓄積され、これらの情報を特定のマリンホースを指定して表示させることができる。
【００２４】
さらに、マリンホースの架設場所等の変更があったときには、端末装置を用いてマリンホースのトランスポンダをアクセスし、識別情報を読み出すと共に、端末装置に追加すべき履歴情報を入力することにより、端末装置によって該履歴情報と識別情報とを含む個別更新情報が生成されて管理装置に送信される。この個別更新情報を受信した管理装置は、受信情報に基づいて蓄積されている履歴情報を更新する。
【００２５】
これにより、個々のマリンホースに関する情報を把握でき、リアルタイムな管理を容易に行うことができる。
【００２６】
また、請求項６では、請求項５に記載のマリンホース管理システムにおいて、前記トランスポンダに代えて、トランスポンダに固有の識別情報を記憶した情報記憶手段と、該情報記憶手段に記憶されている情報を読み出す情報読み出し手段と、該情報読み出し手段によって読み出された情報を所定周波数の電磁波でアンテナから送信する送信手段とを有するトランスポンダを用い、前記端末装置に、トランスポンダに固有の識別情報と該トランスポンダが装着されたマリンホースのセリアルナンバーとを対応付けた対応テーブルと、該対応テーブルに基づいて、前記トランスポンダから読み出した識別情報を前記セリアルナンバーに変換する変換手段とを備えると共に、前記端末装置の送信手段は、個々のマリンホース毎にセリアルナンバーと履歴情報とを含む個別更新情報を作成し、該個別更新情報を前記通信網を介して送信し、前記管理装置は、識別情報としてセリアルナンバーを用いるマリンホース管理システムを提案する。
【００２７】
該マリンホース管理システムによれば、トランスポンダの情報記憶手段にはトランスポンダに固有の識別情報、例えば個々のトランスポンダに固有の識別情報が記憶される。これにより、端末装置は、トランスポンダをアクセスすることにより前記識別情報を読み出し、対応テーブルを用いて該識別情報を有するトランスポンダが装着されたマリンホースのセリアルナンバーに変換し、該セリアルナンバーと履歴情報とを含む個別更新情報を作成して管理装置に送信する。また管理装置は、マリンホースの識別情報としてセリアルナンバーを用いて情報の管理を行う。
【００２８】
また、請求項７では、請求項５に記載のマリンホース管理システムにおいて、前記トランスポンダに代えて、トランスポンダに固有の識別情報を記憶した情報記憶手段と、該情報記憶手段に記憶されている情報を読み出す情報読み出し手段と、該情報読み出し手段によって読み出された情報を所定周波数の電磁波でアンテナから送信する送信手段とを有するトランスポンダを用い、前記管理装置に、トランスポンダに固有の識別情報と該トランスポンダが装着されたマリンホースのセリアルナンバーとを対応付けた対応テーブルと、該対応テーブルに基づいて、前記個別更新情報に含まれるトランスポンダに固有の識別情報を前記マリンホースのセリアルナンバーに変換する変換手段とを備えると共に、前記管理装置は、識別情報としてマリンホースのセリアルナンバーを用いるマリンホース管理システムを提案する。
【００２９】
該マリンホース管理システムによれば、トランスポンダの情報記憶手段にはトランスポンダに固有の識別情報、例えば個々のトランスポンダに固有の識別情報が記憶される。これにより、端末装置は、トランスポンダをアクセスすることにより前記識別情報を読み出し、該識別情報と履歴情報とを含む個別更新情報を作成して管理装置に送信する。また、管理装置は、受信した個別更新情報に含まれる識別情報を、対応テーブルを用いて該識別情報を有するトランスポンダが装着されたマリンホースのセリアルナンバーに変換し、マリンホースの識別情報としてセリアルナンバーを用いて情報の管理を行う。
【００３０】
また、請求項８では、請求項５乃至請求項７の何れかに記載のマリンホース管理システムにおいて、前記製造情報は製造図面を含むマリンホース管理システムを提案する。
【００３１】
該マリンホース管理システムによれば、管理装置の製造情報記憶手段には各マリンホースの製造図面も蓄積され、操作員の指定により情報表示手段によって前記製造図面が表示される。これにより、緊急に修理が必要なときには、表示された製造図面に基づいて修理を行うことができる。
【００３２】
また、請求項９では、請求項５乃至請求項７の何れかに記載のマリンホース管理システムにおいて、前記管理装置に、操作員が指定した特定のマリンホースの架設場所及びその近辺の地図或いは写真を表示する架設場所表示手段を設けたマリンホース管理システムを提案する。
【００３３】
該マリンホース管理システムによれば、操作員の指示入力により、管理装置の架設場所表示手段は、指定されたマリンホースの履歴情報に基づいて該マリンホースの架設場所及びその近辺の地図或いは写真を表示する。
【００３４】
また、請求項１０では、請求項５乃至請求項７の何れかに記載のマリンホース管理システムにおいて、前記管理装置に、操作員が指定した特定地域におけるマリンホースの架設状況を表示する架設状況表示手段を設けたマリンホース管理システムを提案する。
【００３５】
該マリンホース管理システムによれば、操作員の指示入力により、管理装置の架設状況表示手段は、マリンホースの履歴情報に基づいて指定された地域におけるマリンホースの架設状況、例えば架設場所、架設個数、架設されているマリンホースの種類等を表示する。
【００３６】
【発明の実施の形態】
以下、図面に基づいて本発明の一実施形態を説明する。
【００３７】
図１は、本発明の第１の実施形態におけるマリンホース管理システムを示す構成図である。図において、１（１A1〜１An，１B1〜１Bn，１C1〜１Cn）は管理対象となるマリンホース、３Ａ〜３Ｃは端末装置、６は管理装置、７Ａ〜７Ｃは通信網である。
【００３８】
マリンホース１は、岸壁や橋脚等の水中構造物に固定されたり、或いは水面に浮遊させて陸上と船舶との間で重油等の流体の移送に用いられ、例えば図２及び図３に示すような構成をなしている。図２はマリンホースの一例を示す外観図、図３は図２に示すＡ−Ａ線矢視方向の要部断面図である。
【００３９】
図２及び図３において、１はマリンホースで、ホース本体１１と、複数のマリンホース１を相互に連結するためにホース本体１１の両端部に設けられた取付フランジ１２とから構成されている。
【００４０】
ホース本体１１は、最内層にアクリロニトリル・ブタジエンゴム（以下、ＮＢＲと称する）等からなるゴムチューブ層111が配設され、その上に、マリンホース１内を通過する油等の流体を保持する本体耐圧コード層112が配設されている。
【００４１】
また、本体耐圧コード層112の外側に、内部にボディーワイヤ113aが埋設されたＳＢＲ等からなる中間ゴム層113が配設され、ホース本体１１をカバーするためのスチレン・ブタジエンゴム（以下、ＳＢＲと称する）等からなるカバーゴム層114が施されて一体に構成されている。
【００４２】
さらに、カバーゴム層114の表面、即ちホース本体１１の外面には、螺旋状にオレンジ色でオレンジストライプ１１ａが描かれている。
【００４３】
また、カバーゴム層114の内側には、発泡性のフローター115が充填され、海上等に容易に浮かぶようになっている。
【００４４】
取付フランジ１２は、その円筒部121の外周面の周方向に沿ってホース本体１１を取り付けるためのリング部122a,122b,122cが一体に設けられている。ホース本体１１と取付フランジ１２との連結接合は、本体耐圧コード層112及び中間ゴム層113の非対称コード層の端部に設けられた締結ワイヤ112b,113bにより、ホース本体１１の端部がリング部112a〜112c間に固定されると共に、ホース本体１１を形成するそれぞれの層の端部が接着接合されている。
【００４５】
また、取付フランジ１２の円筒部121の外面には、中間ゴム層113の締結部113b近傍に、トランスポンダ２０が１個以上取り付けられている。
【００４６】
図４はトランスポンダ２０の電気系回路を示すブロック図である。図において、２０はトランスポンダで、送受信用アンテナ２１、整流回路２２、中央処理部２３、情報記憶部２４、発信部２５及びデュープレクサ２６から構成されている。
【００４７】
整流回路２２は、ダイオード221,222、コンデンサ223、及び抵抗器224から構成され、周知の全波整流回路を形成している。この整流回路２２の入力側にはデュープレクサ２６を介して送受信用アンテナ２１が接続され、送受信用アンテナ２１に誘起した高周波電流を整流して直流電流に変換して、中央処理部２３、情報記憶部２４及び発信部２５の駆動電源として出力するものである。
【００４８】
中央処理部２３は、周知のＣＰＵ231及びディジタル／アナログ（以下、Ｄ／Ａと称する）変換器232から構成され、ＣＰＵ231は電源が供給されて駆動すると情報記憶部２４に記憶されているＩＤコード、即ち個々のトランスポンダに固有の識別情報を読み出して、これをディジタルデータに変換し、Ｄ／Ａ変換器232を介して発信部２５に出力する。
【００４９】
発信部２５は、発振回路251、変調回路252及び高周波増幅回路253から構成され、発振回路251によって発振された、例えば３００ＭＨｚの搬送波を、中央処理部２３から入力した信号に基づいて、変調回路252で変調して、これを高周波増幅回路253 及びデュープレクサ２６を介して送受信用アンテナ２１に供給する。
【００５０】
デュープレクサ２６は、ローパスフィルタ２６ａとハイパスフィルタ２６ｂから構成され、送受信用アンテナ２１と整流回路２２との間にローパスフィルタ２６ａが接続され、送受信用アンテナ２１と高周波増幅回路253 との間にハイパスフィルタ２６ｂが接続されている。
【００５１】
端末装置３Ａ〜３Ｃは、管理対象となるマリンホース１が架設されている所定範囲の地域（ＥA〜ＥC）毎に設けられ、マリンホース１に装着されたトランスポンダ２０をアクセスして、そのＩＤコードを読み出し、その時点におけるこのマリンホース１の架設場所、架設期間、修理内容、修理箇所、保管場所、保管期間等の使用に関する履歴情報を操作員が入力して、これらの履歴情報とＩＤコードとをまとめてマリンホース１の個別更新情報として管理装置６に転送する。個別更新情報の転送に際しては、インターネット或いは通常の電話回線又は通信衛星等の通信網を利用している。
【００５２】
図５は、端末装置３（３Ａ〜３Ｃ）の電気系回路を示すブロック図である。図において、３は端末装置で、スキャナ部３０と装置本体４０とから構成されている。
【００５３】
スキャナ部３０は、図５に示すように、受信用アンテナ３１、受信部３２、中央処理部３３、キーボード３４、表示部３５、発信部３６、送信用アンテナ３７、及び装置本体４０との間のデータ転送のためのインタフェース部３８から構成され、携帯性及び操作性を良くするために、例えば図６に示すようなハンドヘルド型に形成されている。図６においては、スキャナ部３０はピストル形状の筐体５内に組み込まれ、筐体５の先端部には受信用アンテナ３１及び送信用アンテナ３７が配置され、上面にはキーボード３４及び表示部３５が配置されている。この場合、図示していないが電源としては蓄電池等が用いられる。
【００５４】
ここで、本実施形態におけるスキャナ部３０とは、後述するようにトランスポンダ２０に対して第１の周波数の電磁波を輻射しながら、これに伴ってトランスポンダ２０から輻射される第２の周波数の電磁波を受信することにより、トランスポンダ２０から送信されるＩＤコードを受信するものを言う。
【００５５】
また、スキャナ部３０の受信部３２は、受信機321とアナログ／ディジタル（以下、Ａ／Ｄと称する）変換器322から構成され、受信器321の入力側は受信用アンテナ３１に接続され、３００ＭＨｚの高周波を受信し、これを検波した後、Ａ／Ｄ変換器322を介して中央処理部３３に出力する。
【００５６】
中央処理部３３は、周知のＣＰＵ331及びメモリ332から構成され、中央処理部331はキーボード３４から入力された命令に基づいて、受信部３２から入力した情報をメモり332に記憶すると共に表示部３５に表示する。
【００５７】
さらに、中央処理部３３は、キーボード３４から入力されたマリンホース１の履歴情報を、読み取ったＩＤコードに対応付けてメモり332 に記憶すると共に、キーボード３４からの入力命令に基づいてインタフェース部３８を介してメモり332 内の蓄積情報を装置本体４０に転送する。
【００５８】
また、発信部３６は発信回路361から構成され、発信回路361はＣＰＵ331 からの制御信号に基づいて、例えば１００ＫＨｚ〜３００ＫＨｚの高周波信号を送信用アンテナ３７に出力する。
【００５９】
装置本体４０は、インタフェース部４１、中央処理部４２、通信制御部４３、キーボード４４、表示部４５、記憶部４６から構成されている。
【００６０】
インタフェース部４１は、スキャナ部３０に蓄積された情報を装置本体４０に転送する際に用いられるもので、ＲＳ２３２ｃ或いはＩＲＤＡ等の赤外線通信接続などによって構成され、スキャナ部３０のインタフェース部３８と同種のものが用いられる。
【００６１】
中央処理部４２は、周知のＣＰＵ等からなり、キーボード４４を介して入力された命令に基づいて、インタフェース部４１を介してスキャナ部３０から情報を入力し、この情報を記憶部４６に蓄積する。また、中央処理部４２は、スキャナ部３０から入力した情報と記憶部４６に蓄積されて情報との間に違いがある場合には、記憶部４６の蓄積情報を更新すると共に、更新された部分に関して個別更新情報を作成して、この情報を通信制御部４３を介して管理装置６に送信する。
【００６２】
個別更新情報は管理対象となるマリンホース１のセリアルナンバーと更新された履歴情報等からなる。中央処理部４２は、記憶部４６内に予め蓄積されている対応テーブルに基づいてスキャナ部３０から転送されたトランスポンダ２０のＩＤコードをセリアルナンバーに変換する。
【００６３】
対応テーブルには、トランスポンダ２０のＩＤコードと、これに対応付けてこのトランスポンダ２０を装着したマリンホース１のセリアルナンバーが記載され、１つのマリンホース１に複数のトランスポンダ２０を装着した場合においても、これらのトランスポンダ２０が装着されたマリンホース１のセリアルナンバーを容易に抽出できるようになっている。
【００６４】
通信制御部４３は、インターネット、通常の電話回線、通信衛星等の通信網７Ａ（７Ａ〜７Ｃ）を介して管理装置６との間の情報転送を行う。
【００６５】
表示部４５は中央処理部４２に接続されたモニターディスプレイ等からなり、中央処理部４２における処理情報の表示や記憶部４６の蓄積情報の表示に用いられる。
【００６６】
管理装置６は、図７に示すように、通信制御部６１、第１記憶部６２、第２記憶部６３、第３記憶部６４、中央処理部６５、キーボード６６、表示部６７から構成されている。
【００６７】
通信制御部６１は、端末装置３のものと同様に、インターネット、通常の電話回線、通信衛星等の通信網７Ａ（７Ａ〜７Ｃ）を介して端末装置３との間の情報転送を行う。
【００６８】
第１記憶部６２には、各マリンホース１の製造情報が蓄積されている。製造情報としては、例えば図８に示すように、セリアルナンバーに対応して、定格寸法、受圧情報、型式、製造日、製造工場名、納品先、テストレポート、製造仕様、備考等が蓄積されると共に、マリンホース１の製造時に用いられた組立図等の製造図面がセリアルナンバーに対応させて蓄積されている。
【００６９】
第２記憶部６３には、各マリンホース１の履歴情報が蓄積されている。履歴情報としては、例えば図９に示すように、セリアルナンバーに対応して、初期架設日、初期架設場所、使用記録、点検・検査記録、修理記録、油等の移送量、移送物から受けた圧力、備考等が蓄積されている。
【００７０】
使用記録としては、初期架設の後に変更された架設場所及び架設期間が記録され、点検・検査記録としては、点検・検査の実施日及びその結果が記録される。また、修理記録としては、修理実施日及び修理箇所等が記録される。
【００７１】
第３記憶部６４には、マリンホース１が架設されている全ての架設地域ＥA 〜ＥC の地図、例えば各地域ごとに広範囲から狭範囲に亘って描かれた地図や航空写真の複数のデータが蓄積されている。
【００７２】
中央処理部６５は、周知のＣＰＵ等からなり、端末装置３から転送されてくる個別更新情報を通信制御部６１を介して受信し、第１記憶部６２に蓄積されている履歴情報の更新処理を行う。
【００７３】
また、中央処理部６５は、キーボード６６を介して入力された操作員の指示（命令）に基づいて、セリアルナンバーによって指定されたマリンホース１の製造情報や履歴情報或いは架設場所の地図等を表示部６７に表示する。さらに、中央処理部６５は、操作員のキーボードからの命令入力により、蓄積情報の修正や追加等の処理を行う。
【００７４】
次に、前述の構成よりなる管理システムの運用方法及び動作を説明する。
【００７５】
本管理システムを使用するにあたっては、運用開始時において、管理対象となるマリンホース１の製造情報、運用開始時点における履歴情報、架設する地域の地図や航空写真等のデータを管理装置６に蓄積しておく。これらの情報及びデータは、管理装置６自体で入力しても良いし、端末装置３において入力したものを管理装置６に転送して蓄積しても良い。さらに、各端末装置３に、前述した対応テーブルを蓄積しておく。
【００７６】
一方、運用開始後においては、マリンホース１の新規補充或いは架設場所の移動を行ったときに、管理装置６の蓄積情報の追加又は更新を行う。また、マリンホース１の新規補充及び廃棄を行ったときは、各端末装置３の対応テーブルも更新する必要がある。
【００７７】
各架設地域ＥA 〜ＥC において、マリンホース１の履歴情報を更新するときは、まず端末装置３のスキャナ部３０のみを用いて、情報更新対象のマリンホース１に装着されたトランスポンダ２０のＩＤコードを読み取り、履歴情報を入力した後、これらの情報を装置本体４０に転送する。
【００７８】
トランスポンダ２０のＩＤコードを読み取るときは、スキャナ部３０とトランスポンダ２０との間の距離を所定距離内にし、スキャナ部３０のキーボード３４から読み取り命令を入力する。これにより、スキャナ部３０ではＣＰＵ331 の動作プログラムに基づいて発信部３６が駆動され、送信用アンテナ３７から第１の周波数の高周波信号、即ち１００ＫＨｚ〜３００ＫＨｚの高周波信号が輻射される。
【００７９】
この電磁波はトランスポンダ２０の送受信用アンテナ２１に入力され、送受信用アンテナ２１に高周波電流が誘起する。送受信用アンテナ２１に誘起した高周波電流は、整流回路２２によって整流されてトランスポンダ２０内部の中央処理部２３、情報記憶部２４及び発信部２５に電源を供給する。
【００８０】
これにより、スキャナ部３０から送出された電磁波を受信している間、電源を供給された中央処理部２３は、予めプログラムされている情報送信処理を行う。即ち、中央処理部２３は、情報記憶部２４内に記憶されているＩＤコードを発信部２５に出力する。
【００８１】
発信部２５ではこのＩＤコードに基づいて搬送波を変調し、変調された搬送波、即ち高周波信号を送受信用アンテナ２１に供給する。これにより、送受信用アンテナ２１からは第２の周波数の電磁波、即ち３００ＭＨｚの周波数の電磁波が輻射される。
【００８２】
スキャナ部３０では、トランスポンダ２０から輻射された３００ＭＨｚの電磁波を受信用アンテナ３１を介して受信部３２によって受信し、受信部３２は受信したＩＤコードをディジタルデータに変換して中央処理部３３に送出する。
【００８３】
中央処理部３３は、入力したディジタルデータに基づくＩＤコードを表示部３５に表示すると共に、メモリ332 に記憶する。
【００８４】
次いで、作業員はスキャナ部３０のキーボード３４を操作して、ＩＤコードを読み取ったマリンホース１のその時点における履歴情報、例えば、変更後の架設場所及び架設期間等の履歴情報を入力する。
【００８５】
これにより、スキャナ部３０の中央処理部３３は、先に読み取ったＩＤコードに対応付けて履歴情報をメモリ332 に記憶する。複数のマリンホース１の履歴情報を更新する際には、前述した操作を繰り返せばよい。
【００８６】
この後、作業員はスキャナ部３０を装置本体４０の架設場所に持ち帰り、スキャナ部３０のメモリ332 に記憶されている情報を装置本体４０に転送する。これにより、装置本体４０の中央処理部４２は、スキャナ部３０から転送された情報と記憶部４６に蓄積されていた情報との間に違いがある場合には、記憶部４６の蓄積情報を更新すると共に、更新された部分に関して前述した個別更新情報を作成して、この情報を通信制御部４３を介して管理装置６に送信する。
【００８７】
これにより、個別更新情報を受信した管理装置６は、蓄積情報の更新を行う。また、特定のマリンホースの製造情報や履歴情報を知りたいとき、或いは架設場所の地域の地図や航空写真を見たいときには、操作員はキーボード６６から命令を入力することによりこれらの情報を表示部６７に表示させることができる。
【００８８】
さらに、操作員が指定した地域におけるマリンホース１の架設状況表示を、指定地域の地図或いは航空写真の上に、マリンホース１の架設位置をシンボル及びそのセリアルナンバーを重ねて表示することにより行っている。
【００８９】
前述したように第１の実施形態によれば、管理対象となるマリンホース１の管理を的確に行うことができる。
【００９０】
さらに、端末装置３と管理装置６との間の情報転送を通信網７を介して行っているので、これらの設置場所間の距離に依存することなくリアルタイムで管理情報の更新を行うことができる。
【００９１】
また、マリンホース１に装着されるトランスポンダ２０の情報記憶部２４には個々のトランスポンダ２０に固有のＩＤコードが記憶され、これを読み取った端末装置３によってＩＤコードがマリンホース１のセリアルナンバーに変換され、この後は該セリアルナンバーによってマリンホースが識別されて管理されるので、製造情報との対応付けを容易に行うことができる。
【００９２】
また、マリンホース１にトランスポンダ２０を装着し、トランスポンダ２０をアクセスすることによりＩＤコードを自動的に読み出し、このＩＤコードを用いて個々のマリンホース１を特定しているので、管理作業の簡略化を図ることができると共に、管理における人為的な間違いの発生を防止することができる。
【００９３】
また、スキャナ部３０から輻射された電磁波がトランスポンダ２０内で電気エネルギーに変換されて、この電気エネルギーによりトランスポンダ２０が動作するので、半永久的に動作可能となり、トランスポンダ２０のメンテナンスを簡略化することができる。
【００９４】
次に、本発明の第２の実施形態を説明する。
【００９５】
第２の実施形態におけるシステム構成は前述した第１の実施形態とほぼ同じである。第２の実施形態と第１の実施形態との相違点は、トランスポンダ２０に情報記憶部２４への情報書き込み機能を持たせ、マリンホース１の履歴情報をマリンホース１自体にも持たせるようにしたこと、及び対応テーブルを管理装置６に持たせて管理装置６においてＩＤコードをセリアルナンバーに変換するようにしたことにある。
【００９６】
以下、第１の実施形態との相違点に関して説明する。
【００９７】
図１０は第２の実施形態におけるトランスポンダ２０の電気系回路を示すブロック図である。図において、前述した第１の実施形態と同一構成部分は同一符号をもって表しその説明を省略する。また、第１の実施形態と第２の実施形態との相違点は、トランスポンダ２０に検波部２７を設けると共に、情報記憶部２４をＥＥＰＲＯＭ等の読み書き可能な不揮発性メモリによって構成し、中央処理部２３には情報記憶部２４への情報の書き込み機能を持たせたことにある。
【００９８】
即ち、検波部２７はダイオード271とＡ／Ｄ変換器272からなり、ダイオード271のアノードは受信用アンテナ２１に接続され、カソードはＡ／Ｄ変換器272を介して中央処理部２３のＣＰＵ231に接続されている。
【００９９】
情報記憶部２４は、ＣＰＵ231 に接続されたＥＥＰＲＯＭ等の半導体メモリからなり、この情報記憶部２４には予めトランスポンダ２０に固有のＩＤコードが記憶されている。
【０１００】
図１１は端末装置３のスキャナ部３０の電気系回路を示すブロック図である。図において、前述した第１の実施形態と同一構成部分は同一符号をもって表しその説明を省略する。また、第１の実施形態と第２の実施形態との相違点は、スキャナー部３０に変調部３９を設け、キーボードから入力した履歴情報をトランスポンダ２０に送信できるようにしたことにある。
【０１０１】
即ち、変調部３９は、Ｄ／Ａ変換器391、変調回路392及び高周波増幅回路393からなり、Ｄ／Ａ変換器391の入力側は中央処理部３３のＣＰＵ331に接続され、出力側は変調回路392に接続されている。変調回路392は発信部３６から搬送波を入力し、これを変調して高周波増幅回路393に供給する。高周波増幅回路393は、入力した高周波信号を増幅して送信用アンテナ３７に出力する。
【０１０２】
また、端末装置３の装置本体４０には、トランスポンダ２０のＩＤコードと、これに対応付けてこのトランスポンダ２０を装着したマリンホース１のセリアルナンバーが記載された対応テーブルは備えず、管理装置６に対応テーブルを備えて、管理装置６においてＩＤコードをセリアルナンバーに変換している。
【０１０３】
前述の構成によれば、各架設地域ＥA 〜ＥC において、マリンホース１の履歴情報を更新するときは、まず端末装置３のスキャナ部３０のみを用いて、情報更新対象のマリンホース１に装着されたトランスポンダ２０のＩＤコードを読み取り、追加したい履歴情報を入力する。この後、スキャナ部３０のキーボード３４から情報書き込み命令を入力することにより、スキャナ部３０に入力したマリンホース１の履歴情報がトランスポンダ２０の情報記憶部２４に追加して書き込まれる。これにより、マリンホース１の履歴情報をマリンホース１自体に持たせることができる。
【０１０４】
また、トランスポンダ２０の情報記憶部２４に蓄積されている履歴情報を知りたいときは、スキャナ部３０からトランスポンダ２０に対して情報読み出し命令を送信することにより、情報記憶部２４に蓄積されている履歴情報がトランスポンダ２０から送信されるので、これを受信してスキャナ部３０の表示部３５に表示させることができる。
【０１０５】
次いで、第１の実施形態と同様に、スキャナ部３０のメモリ332 に蓄積されているＩＤコード及びこれに対応する履歴情報を装置本体４０に転送する。
【０１０６】
これにより、装置本体４０の中央処理部４２は、スキャナ部３０から転送された情報と記憶部４６に蓄積されていた情報との間に違いがある場合には、記憶部４６の蓄積情報を更新すると共に、更新された部分に関して個別更新情報を作成して、この情報を通信制御部４３を介して管理装置６に送信する。
【０１０７】
このとき、中央処理部４２は、トランスポンダ２０のＩＤコードとこれに対応する履歴情報を含む個別更新情報を作成して送信する。
【０１０８】
この個別更新情報を受信した管理装置６は、対応テーブルに基づいてＩＤコードをセリアルナンバーに変換した後、このセリアルナンバーに基づいて蓄積情報の更新を行う。
【０１０９】
また、特定のマリンホースの製造情報や履歴情報を知りたいとき、或いは架設場所の地域の地図や航空写真を見たいときには、第１の実施形態と同様に、操作員がキーボード６６から命令を入力することにより、これらの情報を表示部６７に表示させることができる。
【０１１０】
前述したように第２の実施形態によれば、第１の実施例と同様に管理対象となるマリンホース１の管理を的確に行うことができると共に、トランスポンダ２０の情報記憶部２４にマリンホース１の履歴情報を持たせることができ、管理装置６を用いなくてもマリンホース１の履歴情報を簡単に知ることができる。
【０１１１】
また、対応テーブルを管理装置６に持たせることにより、端末装置３における処理の負荷を低減することができ、装置の小型化及びコストの低減を図ることができる。
【０１１２】
尚、前述した第１及び第２の実施形態では、トランスポンダ２０に予め蓄積されているＩＤコードを基に、これをマリンホース１のセリアルナンバーに変換して、セリアルナンバーを基準としてマリンホース１の管理を行っているが、予めトランスポンダ２０に装着対象となるマリンホース１のセリアルナンバーを蓄積しておき、対応テーブルを用いた変換処理を省くようにしても良い。しかし、この方法はトランスポンダ２０にセリアルナンバーを書き込む手間を要する。
【０１１３】
また、対応テーブルを用いることなく、管理装置６においてもトランスポンダ２０のＩＤコードを用いてマリンホース１の管理を行っても良い。しかし、１つのマリンホース１に２つ以上のトランスポンダ２０を装着する場合には、この方法では管理が繁雑になりやすい欠点がある。
【０１１４】
また、前述した実施形態では、端末装置３を分離可能なスキャナ部３０と装置本体４０から構成したが、スキャナ部３０と装置本体４０を一体化した端末装置３を構成しても良い。
【０１１５】
さらに、端末装置３と管理装置６を組にして、マリンホース１が架設される各地域に配置するようにしても良い。
【０１１９】
【発明の効果】
以上説明したように本発明の請求項１記載のマリンホース管理システムによれば、マリンホースにはトランスポンダが装着され、トランスポンダをアクセスすることにより情報記憶手段内に記憶されている所定情報を自動的に読み出すことができ、この情報を用いて個々のマリンホースの管理を行うことができるので、管理における人為的な間違いの発生を防止することができる。
【０１２０】
また、マリンホースからある程度の距離がある位置からでもトランスポンダをアクセスすることができるので、管理作業の簡略化を図ることができる。
【０１２１】
また、請求項２に記載のマリンホース管理システムによれば、上記の効果に加えて、個々のマリンホースの新たな情報が端末装置から管理装置に送信されると、管理装置では情報更新手段によって前記記憶手段に記憶されている情報が更新されるので、最新の情報をリアルタイムで管理することができる。
【０１２２】
また、請求項３に記載のマリンホース管理システムによれば、上記の効果に加えて、管理装置の記憶手段には、マリンホースを識別する識別情報、個々のマリンホースの製造情報、及びマリンホースの履歴情報を含む情報が記憶されるので、マリンホースの架設場所、架設期間等の履歴も即座に且つ的確に把握することができる。
【０１２３】
また、請求項４に記載のマリンホース管理システムによれば、上記の効果に加えて、マリンホースに装着されているトランスポンダに対して電磁波を輻射することにより、該電磁波がトランスポンダ内で電気エネルギーに変換され、この電気エネルギーによりトランスポンダが動作するので、トランスポンダを半永久的に使用することができ、トランスポンダに対する電池交換などのメンテナンス作業を必要としない。
【０１２４】
また、請求項５に記載のマリンホース管理システムによれば、マリンホースにはトランスポンダが装着され、トランスポンダをアクセスすることにより情報記憶手段内に記憶されている所定情報を自動的に読み出すことができ、この情報を用いて個々のマリンホースの管理を行うことができるので、管理における人為的な間違いの発生を防止することができる。
【０１２５】
また、マリンホースからある程度の距離がある位置からでもトランスポンダをアクセスすることができるので、管理作業の簡略化を図ることができる。
【０１２６】
また、例えば管理対象となるマリンホースが架設される地域に端末装置を配置し、必要に応じて１つ以上の管理装置を設けることにより、各マリンホースの必要情報が管理装置に蓄積されるので、マリンホースの架設場所、架設期間等の履歴も即座に且つ的確に把握することができる。
【０１２７】
さらに、端末装置と管理装置との間の情報転送を通信網を介して行っているので、これらの設置場所間の距離に依存することなくリアルタイムで管理情報の更新を行うことができる。
【０１２８】
また、請求項６に記載のマリンホース管理システムによれば、上記の効果に加えて、マリンホースに装着されるトランスポンダの情報記憶手段には個々のトランスポンダに固有の識別情報が記憶され、これを読み取った端末装置によって該トランスポンダに固有の識別情報がマリンホースのセリアルナンバーに変換され、この後は該セリアルナンバーによってマリンホースが識別されて管理されるので、製造情報との対応付けを容易に行うことができる。
【０１２９】
また、請求項７に記載のマリンホース管理システムによれば、上記の効果に加えて、マリンホースに装着されるトランスポンダの情報記憶手段には個々のトランスポンダに固有の識別情報が記憶され、端末装置から個別更新情報を受け取った管理装置によって該トランスポンダに固有の識別情報がマリンホースのセリアルナンバーに変換され、この後は該セリアルナンバーによってマリンホースが識別されて管理されるので、製造情報との対応付けを容易に行うことができる。
【０１３０】
また、請求項８に記載のマリンホース管理システムによれば、上記の効果に加えて、管理装置において操作員の指定入力によって個々のマリンホースの製造図面を表示することができるので、緊急に修理が必要なときには、表示された製造図面に基づいて修理を行うことができる。
【０１３１】
また、請求項９に記載のマリンホース管理システムによれば、上記の効果に加えて、操作員の指示入力により、管理装置において任意のマリンホースの架設場所及びその近辺の地図或いは写真を表示することができるので、メンテナンスの際等において個々のマリンホースの位置を容易に把握することができる。
【０１３２】
また、請求項１０に記載のマリンホース管理システムによれば、上記の効果に加えて、操作員の指示入力により、管理装置において任意の地域におけるマリンホースの架設状況を表示することができるので、マリンホースの架設場所の変更等の移動計画を容易に行うことができる。
【図面の簡単な説明】
【図１】  本発明の第１の実施形態におけるマリンホース管理システムを示す構成図
【図２】  本発明の第１の実施形態におけるマリンホースの一例を示す外観図
【図３】  図２に示すＡ−Ａ線矢視方向断面図
【図４】  本発明の第１の実施形態におけるトランスポンダの電気系回路を示すブロック図
【図５】  本発明の第１の実施形態における端末装置の電気系回路を示すブロック図
【図６】  本発明の第１の実施形態におけるスキャナ部を示す外観図
【図７】  本発明の第１の実施形態における管理装置の電気系回路を示すブロック図
【図８】  本発明の第１の実施形態における製造情報の内容を説明する図
【図９】  本発明の第１の実施形態における履歴情報の内容を説明する図
【図１０】  本発明の第２の実施形態におけるトランスポンダの電気系回路を示すブロック図
【図１１】  本発明の第２の実施形態におけるスキャナ部の電気系回路を示すブロック図
【符号の説明】
１（１A1〜１An，１B1〜１Bn，１C1〜１Cn）…マリンホース、３Ａ〜３Ｃ…端末装置、６…管理装置、７Ａ〜７Ｃ…通信網、２０…トランスポンダ、２１…送受信用アンテナ、２２…整流回路、２３…中央処理部、231…ＣＰＵ、232…Ｄ／Ａ変換回路、２４…情報記憶部、２５…発信部、251…発振回路、252…変調回路、253…高周波増幅回路、２６…デュープレクサ、２７…検波部、３０…スキャナ部、３１…受信用アンテナ、３２…受信部、321…受信機、322…Ａ／Ｄ変換回路、３３…中央処理部、331…ＣＰＵ、332…メモリ、３４…キーボード、３５…表示部、３６…発信部、361…発信器、３７…送信用アンテナ、３８…インタフェース部、３９…変調部、391 …Ｄ／Ａ変換回路、392 …変調回路、393 …高周波増幅回路、４０…端末装置本体、４１…インタフェース部、４２…中央処理部、４３…通信制御部、４４…キーボード、４５…表示部、４６…記憶部、６１…通信制御部、６２…第１記憶部、６３…第２記憶部、６４…第３記憶部、６５…中央処理部、６６…キーボード、６７…表示部、ＥA 〜ＥC …マリンホース架設地域。
【図１】
0004220593.tif 000002
【図２】
0004220593.tif 000003
【図３】
0004220593.tif 000004
【図４】
0004220593.tif 000005
【図５】
0004220593.tif 000006
【図６】
0004220593.tif 000007
【図７】
0004220593.tif 000008
【図８】
0004220593.tif 000009
【図９】
0004220593.tif 000010
【図１０】
0004220593.tif 000011
【図１１】
0004220593.tif 000012